(57)【要約】【課題】釣り情報表示装置において、表示部の小型化を図っても釣り情報を認識しやすくする。【解決手段】外部モニタ６０は、電動リール１００で生成された仕掛けの水深データと、魚群探知機で生成された魚探データとを表示可能な装置であって、装着部６１と、モニタケース６２と、情報通信部と、表示部６４と、を備えている。装着部は、電動リールに装着可能なものである。モニタケースは、装着部により電動リールに連結可能な部材である。情報通信部は、モニタケースに設けられ、水深データ及び魚探データを受け取るものである。表示部は、モニタケースに外部に露出して設けられ、水深データと魚探データとを関連付けて図形表示可能なものである。【選択図】図３
2008182967.tif 000002
【特許請求の範囲】
【請求項１】
釣り竿に装着可能な釣り用リールで生成されたリールに関する第１釣り情報と、魚群探知機で生成された獲物に関する第２釣り情報とを表示可能な釣り情報表示装置であって、
前記釣り用リール及び前記釣り竿の少なくとも一方に装着可能な装着部と、
前記装着部により前記釣り用リール及び前記釣り竿の少なくとも一方に連結可能なケース部材と、
前記ケース部材に設けられ、前記第１釣り情報を受け取る第１情報入力部と、
前記ケース部材に設けられ、前記第２釣り情報を受け取る第２情報入力部と、
前記ケース部材に外部に露出可能に設けられ、前記第１釣り情報と前記第２釣り情報とを関連付けて図形表示可能な表示部と、
を備えた釣り情報表示装置。
【請求項２】
前記第１釣り情報は、前記釣り用リールに装着される仕掛けの水深データであり、
前記第２釣り情報は、前記魚群探知機の送受波器から得られる魚探データである、請求項１に記載の釣り情報表示装置。
【請求項３】
前記装着部は、前記釣り竿に装着可能である、請求項１又は２に記載の釣り情報表示装置。
【請求項４】
前記装着部は、前記釣り用リールに装着可能である、請求項１又は２に記載の釣り情報表示装置。
【請求項５】
前記釣り用リールは電力が供給される電力入力部を有する電動リールであり、
前記装着部は、前記電力入力部に装着可能である、請求項４に記載の釣り情報表示装置。
【請求項６】
電力を供給可能な電源をさらに備え、
前記装着部を前記電力入力部に装着すると、前記電源から前記釣り用リールに電力が供給される、請求項５に記載の釣り情報表示装置。
【請求項７】
前記装着部は、前記電源に設けられ、
前記ケース部材は、前記電源に着脱可能に連結される、請求項６に記載の釣り情報表示装置。
【請求項８】
前記電動リールは、前記電力入力部と並べて配置された情報出力部を有し、
前記第１情報入力部は、前記装着部を前記電力入力部に装着すると前記情報出力部に電気的に接続される、請求項５から７のいずれか１項に記載の釣り情報表示装置。
【請求項９】
前記釣り用リールは無線により前記第１釣り情報を外部に出力可能であり、
前記第１情報入力部は、無線により出力された前記第１釣り情報を受け取る、請求項１から７のいずれか１項に記載の釣り情報表示装置。
【請求項１０】
前記魚群探知機は無線により前記第２釣り情報を外部に出力可能であり、
前記第２情報入力部は、無線により出力された前記第２釣り情報を受け取る、請求項１から９のいずれか１項に記載の釣り情報表示装置。
【発明の詳細な説明】
【技術分野】
【０００１】
本発明は、情報表示装置、特に、釣り竿に装着可能な釣り用リールで生成されたリールに関する第１釣り情報と、魚群探知機で生成された獲物に関する第２釣り情報とを表示可能な釣り情報表示装置に関する。
【背景技術】
【０００２】
海釣りなどでは、魚群探知機からの魚群情報に基づいて釣りを行うことがある。このような魚群情報を釣り人の近くで見ることができる釣り情報表示装置が従来知られている（たとえば、特許文献１参照）。従来の釣り情報表示装置は、仕掛けの水深データ等のリールに関する第１釣り情報を外部に出力可能な釣り用リールと、釣り船に搭載され釣りに関する第２釣り情報を収集可能な魚群探知機と、に接続可能な装置である。釣り情報表示装置には、第２釣り情報として魚群探知機から得られる海底の状態及び水深、魚群の形や水深などの情報がリールから得られる仕掛けの水深データとともに図形で表示される。これにより釣り人は仕掛けの位置と魚群の位置を、海底を基準にして瞬時に認識することができるとともに、海底の状況も瞬時に認識できる。従来の釣り情報表示装置は、釣り用リールの近くで釣り船の船縁などにロッドホルダなどを利用して装着されている。
【特許文献１】特開２００４−１２１００７号公報
【発明の開示】
【発明が解決しようとする課題】
【０００３】
前記従来の構成では、釣り情報表示装置が釣り船の船縁に装着されるため、釣り人が立って釣り用リールを操作する際などに釣り人との距離が大きく距離が離れる場合がある。このような場合、釣り情報表示装置の画面が小さいと、画面に表示された釣り情報を認識しにくくなる。このため、従来の釣り情報表示装置は、５インチ程度の比較的大きな画面を有しており、釣り情報を認識しやすくするためには表示部を小型化しにくい。
【０００４】
本発明の課題は、釣り情報表示装置において、表示部の小型化を図っても釣り情報を認識しやすくすることにある。
【課題を解決するための手段】
【０００５】
発明１に係る釣り情報表示装置は、釣り竿に装着可能な釣り用リールで生成されたリールに関する第１釣り情報と、魚群探知機で生成された獲物に関する第２釣り情報とを表示可能な釣り情報表示装置であって、装着部と、ケース部材と、第１情報入力部と、第２情報入力部と、表示部と、を備えている。装着部は、釣り用リール及び釣り竿の少なくとも一方に装着可能なものである。ケース部材は、装着部により釣り用リール及び釣り竿の少なくとも一方に連結可能な部材である。第１情報入力部は、ケース部材に設けられ、第１釣り情報を受け取るものである。第２情報入力部は、第２釣り情報を受け取るものである。表示部は、ケース部材に外部に露出して設けられ、第１釣り情報と第２釣り情報とを関連付けて図形表示可能なものである。
【０００６】
この釣り情報表示装置では、装着部によりケース部材を釣り用リール又は釣り竿に装着する。この状態で、有線又は無線により第１及び第２情報入力部が釣り用リールで生成された第１釣り情報及び魚群探知機で生成された第２釣り情報を各別に受け取ると、受け取った２種の釣り情報が表示部に関連付けて図形表示される。ここでは、表示部が設けられたケース部材を装着部により釣り人の近くに常に配置される釣り用リール又は釣り竿に装着可能に構成したので、釣り人に近い位置で２種の釣り情報を表示できる。このため、釣り情報表示装置において、表示部の小型化を図っても釣り情報を視認しやすくなる。
【０００７】
発明２に係る釣り情報表示装置は、発明１に記載の装置において、第１釣り情報は、釣り用リールに装着される仕掛けの水深データであり、第２釣り情報は、魚群探知機の送受波器から得られる魚探データである。この場合には、魚群探知機の送受波器から得られる魚探データと水深データとを比較しながら釣りを行える。
【０００８】
発明３に係る釣り情報表示装置は、発明１又は２に記載の装置において、装着部は、釣り竿に装着可能である。この場合には、釣り人からの距離が変動しにくい釣り竿に装置が装着可能であるので、表示部を小型化しても釣り情報を認識しやすくなる。また、使用するリールに合わせて釣り人からの距離を変更することもできる。
【０００９】
発明４に係る釣り情報表示装置は、発明１又は２に記載の装置において、装着部は、釣り用リールに装着可能である。この場合には、釣り竿に装着された状態で釣り人に最も近い釣り用リールに装着部が装着可能であるので、ケース部材に設けられた表示部を小型化しても釣り情報をさらに認識しやすくなる。
【００１０】
発明５に係る釣り情報表示装置は、発明４に記載の装置において、釣り用リールは電力が供給される電力入力部を有する電動リールであり、装着部は、電力入力部に装着可能である。この場合には、電動リールに通常設けられているコネクタなどの形態の電力入力部に装着部を装着できるので、釣り情報表示装置を装着するための特別な構造を電動リールに設ける必要がなくなる
発明６に係る釣り情報表示装置は、発明５に記載の装置において、電力を供給可能な電源をさらに備え、装着部を電力入力部に装着すると、電源から釣り用リールに電力が供給される。この場合には、装着部を電力入力部に装着すると電動リールに電力が供給されるので、電動リールへの電源コードの接続が不要になり、電動リールの取り回しが容易になる。
【００１１】
発明７に係る釣り情報表示装置は、発明６に記載の装置において、装着部は、電源に設けられ、ケース部材は、電源に着脱可能に連結される。この場合には、装着部が電源に設けられているので、電動リールの電源入力部に電源を直接装着できる。しかもケース部材が電源に着脱可能に連結されるので、ケース部材を外しても電動リールに電力を供給できる。
【００１２】
発明８に係る釣り情報表示装置は、発明５から７のいずれかに記載の装置において、電動リールは、電力入力部と並べて配置された情報出力部を有し、第１情報入力部は、装着部を電力入力部に装着すると情報出力部に接続される。この場合には、装着部を電力入力部に装着するだけで、電動リールの情報出力部と釣り情報表示装置の第１情報入力部とを電気的に接続することができる。このため、第１釣り情報を入出力するための配線が不要になり、釣り情報表示装置の電動リールへの装着がさらに容易になる。
【００１３】
発明９に係る釣り情報表示装置は、発明１から７のいずれかに記載の装置において、釣り用リールは無線により第１釣り情報を外部に出力可能であり、第１情報入力部は、無線により出力された第１釣り情報を受け取る。この場合には、無線により第１釣り情報をやり取りできるので、釣り用リールと釣り情報表示装置との接続がさらに容易になる。
【００１４】
発明１０に係る釣り情報表示装置は、発明１から９のいずれかに記載の装置において、魚群探知機は無線により第２釣り情報を外部に出力可能であり、第２情報入力部は、無線により出力された第２釣り情報を受け取る。この場合には、離れた位置にある魚群探知機と釣り情報表示装置との接続が容易になる。
【発明の効果】
【００１５】
本発明によれば、表示部が設けられたケース部材を装着部により釣り人の近くに常に配置される釣り用リール又は釣り竿に装着可能に構成したので、釣り人に近い位置で２種の釣り情報を表示できる。このため、釣り情報表示装置において、表示部の小型化を図っても釣り情報を視認しやすくなる。
【発明を実施するための最良の形態】
【００１６】
＜第１実施形態＞
本発明の第１実施形態を採用した釣り情報表示システムは、図３に示すように、電動リール（釣り用リールの一例）１００と、魚群探知機９０と、電動リール１００と魚群探知機９０と情報をやり取りする本発明の第１実施形態による外部モニタ（釣り情報表示装置の一例）６０とで構成される。
【００１７】
外部モニタ６０は、図１及び図２に示すように、電動リール１００に装着されるものである。また、図３に示すように、外部モニタ６０は、電動リール１００から仕掛けの水深データ（第１釣り情報の一例）を得ることができるとともに、魚の棚位置、海底の水深や形状等のエコー画像の魚探データ（第２釣り情報の一例）を獲得できる魚群探知機９０と無線通信可能に接続されている。外部モニタ６０は、電動リール１００及び魚群探知機９０から得られる情報を重畳して図形及び数値表示可能である。
【００１８】
＜電動リールの構成＞
電動リール１００は、図１及び図２に示すように、釣竿Ｒに装着されるリール本体１と、リール本体１の側方に配置されたスプール回転用のハンドル２と、ハンドル２のリール本体１側に配置されたドラグ調整用のスタードラグ３とを主に備えている。
【００１９】
リール本体１は、左右１対の側板７ａ、７ｂとそれらを連結する複数の連結部材８とからなるフレーム７と、フレーム７の左右を覆う左右の側カバー９ａ、９ｂとを有している。ハンドル２側（図２の右側）の側カバー９ｂには、ハンドル２の回転軸が回転自在に支持されている。ハンドル２と逆側（図２の左側）の側カバー９ａには、図４に示すように、外部モニタ６０が装着されるコネクタ部（電力入力部の一例）１８が設けられている。コネクタ部１８には、電動リール用の通常の電源コードを接続することもできる。
【００２０】
コネクタ部１８は、図５に示すように、外周側に外部モニタ６０の後述する装着部６１の先端に配置されたコネクタ部２１が電気的に接触する６つの端子ピン１８ａ〜１８ｆを有する雄コネクタ（プラグ）である。コネクタ部１８には、側カバー９ａに固定された概ね筒状の金属製の装着筒部１９を有しており、装着筒部１９の外周面には、外部モニタ６０を装着固定するための雄ねじ部１９ａが形成されている。装着筒部１９の内周側には、電力が供給される２本の端子ピン１８ａ、１８ｂと、外部モニタ６０と情報通信するための４本の端子ピン（情報出力部の一例）１８ｃ、１８ｄ、１８ｅ、１８ｆとが間隔を隔てて配置されている。４本の端子ピン（情報出力部の一例）１８ｃ、１８ｄ、１８ｅ、１８ｆは、情報通信部４４に電気的に接続されている。また、装着筒部１９の外周面の一箇所には、装着部６１を位置決めするために内周側に突出する位置決め突起１９ｂが形成されている。
【００２１】
リール本体１の内部には、図２に示すように、ハンドル２に連結されたスプール１０が回転自在に支持されている。スプール１０の内部には、スプール１０を糸巻き上げ方向に回転駆動する直流駆動のモータ１２が配置されている。また、リール本体１のハンドル２側の側面には、クラッチレバー１１と、変更レバー１３とが配置されている。クラッチレバー１１は、側カバー９ｂのスプール１０の回転軸の後上方に設けられ、ハンドル２と、モータ１２及びスプール１０との駆動伝達をオン、オフするレバー部材である。変更レバー１３は、側カバー９ｂのスプール１０の回転軸の前上方に設けられ、モータ１２の回転をオン、オフするとともに、モータ１２の回転を停止状態から最大回転状態まで揺動により指定するためのレバー部材である。
【００２２】
リール本体１の上部には、図１に示すように、カウンタケース４が固定されている。カウンタケース４の上面には、図２に示すように、仕掛けの水深や棚位置を水面からと底からとの２つの基準で表示するための液晶ディスプレイからなる表示部５と、表示部５の周囲に配置されたスイッチ操作部６とを有している。
【００２３】
カウンタケース４内の上部には、図３に示すように、表示部５と、表示制御及びモータ御を行うリール制御部３０とが配置されている。カウンタケース４内の下部にはモータ１２をＰＷＭ駆動するＰＷＭ駆動回路３１が配置されている。またカウンタケース４内の下部には、ブザー４０とスプールセンサ４１とが配置されている。
【００２４】
リール制御部３０は、カウンタケース４内に配置されたＣＰＵ、ＲＡＭ、ＲＯＭ、Ｉ／Ｏインターフェイス等を含むマイクロコンピュータを含んでいる。リール制御部３０は、制御プログラムに従って表示部５の表示制御やモータ駆動制御等の各種の制御動作を実行する。リール制御部３０には、図４に示すように、スイッチ操作部６の各種のスイッチと、スプール１０の回転方向及び回転数（回転位置データ）を検出するためのスプールセンサ４１及びスプールカウンタ４２と、変更レバー１３とが接続されている。また、リール制御部３０には、ブザー４０と、ＰＷＭ駆動回路３１と、表示部５と、記憶部４３と、情報通信部４４と、他の入出力部とが接続されている。
【００２５】
ＰＷＭ駆動回路３１は、モータ１２を駆動するための駆動素子としてのＦＥＴを含んでいる。ＰＷＭ駆動回路３１は、リール制御部３０によりデューティ比が制御されてモータ１２を速度又は張力可変に駆動する。
【００２６】
スプールセンサ４１は、前後に並べて配置された２つのリードスイッチから構成されている。リードスイッチは、スプール１０に連動して回転する磁石ホイールに装着された２個の磁石を検出する。この検出パルスをスプールカウンタ４２で計数することでリールの回転数を検出できる。また、いずれのリードスイッチが先に検出パルスを発したかによりスプール１０の回転方向を検出できる。
【００２７】
スプールカウンタ４２は、スプールセンサ４１のオンオフ回数を計数するカウンタであり、この計数値によりスプール回転数に関する回転位置データやスプール回転速度が得られる。スプールカウンタ４２は、スプール１０が正転（糸繰り出し方向の回転）すると計数値が減少し、逆転すると増加する。
【００２８】
記憶部４３は、たとえばＥＥＰＲＯＭ等の不揮発メモリからなり、学習結果のデータや糸長算出時に使用する各種のデータ等が記憶されている。
【００２９】
情報通信部４４は、電動リール１００の外部に設けられた外部モニタ６０の後述する情報通信部６６（図３参照）と各種の情報を送受信可能である。情報通信部４４は、コネクタ部１８の４本の端子ピン１８ｃ、１８ｄ、１８ｅ、１８ｆに接続され、装着部６１を介して情報通信部６６と通信可能である。
【００３０】
＜外部モニタの構成＞
外部モニタ６０は、魚群探知機９０から得られる漁場の海底の水深や魚群の位置を示す棚位置等のエコー画像を表示するとともに、電動リール１００から得られる仕掛けの水深データを魚群探知機９０からのエコー画像に重畳して図形表示するためのものである。魚群探知機９０は、海底の数値データも出力可能であり、海底の数値データや仕掛けの水深の数値データも外部モニタ６０に表示される。
【００３１】
外部モニタ６０は、図１、図３及び図６に示すように、電動リール１００に装着可能な装着部６１と、略直方体形状のモニタケース（ケース部材の一例）６２と、外部に露出可能にモニタケース６２に設けられた釣り情報を図形表示可能な表示部６４と、表示部６４の下方に配置された複数の操作ボタンからなるスイッチ操作部６５とを有している。また、外部モニタ６０は、モニタケース６２の内部に設けられ、電動リール１００及び魚群探知機９０と情報を入出力する情報通信部（第１及び第２情報入力部の一例）６６と、外部モニタ６０と電動リール１００とに電力を供給可能な電源６７を有している。
【００３２】
モニタケース６２は、内部に収納空間を有するとともに表示部６４が露出する開口を有する合成樹脂製の略直方体形状のケースである。モニタケース６２の内部には、図３に示すように、各種の制御を行うモニタ制御部６３が配置されている。モニタ制御部６３は、モニタケース６２内に配置されたＣＰＵ、ＲＡＭ、ＲＯＭ、Ｉ／Ｏインターフェイス等を含むマイクロコンピュータを含んでいる。モニタ制御部６３は、制御プログラムに従って、電動リール１００及び魚群探知機９０からの情報を表示部６４に表示させる表示制御や、電動リール１００のさそい制御等の各種の制御動作を実行する。また、モニタ制御部６３には、スイッチ操作部６５の各種のスイッチと、表示部６４と、情報通信部６６と、他の入出力部とが接続されている。
【００３３】
情報通信部６６は、前述したように、電動リール１００の情報通信部４４と装着部６１を介して通信可能である。また、情報通信部６６は、図３に示すように、たとえば特定小電力規格の無線により、魚群探知機９０と通信可能であり、海底の水深や魚群の位置等の情報を受信する。情報通信部６６は、電動リール１００の情報通信部４４から仕掛けの水深データ等の情報を受信し、電動リール１００の情報通信部４４へさそい制御等の制御情報等を送信する。
【００３４】
装着部６１は、図６に示すように、たとえば、金属製のパイプ形状の部材を湾曲して構成されている。装着部６１の基端は、図１及び図２に示すように、電源６７に固定されている。装着部６１の先端には、コネクタ部１８に電気的に接続可能な円形のコネクタ部２１が設けられている。コネクタ部２１は、図６に示すように、コネクタ部１８の端子ピン１８ａ〜１８ｆに各別に電気的に接続される６つの端子孔２２ａ〜２２ｆを有する雌コネクタ（コンセント）である。端子孔２２ａ，２２ｂは、電源６７に内部配線により電気的に接続されている。電源６７は、内部配線により外部モニタ６０の各電気機器にも供給されている。端子孔２２ｃ，２２ｄ，２２ｅ，２２ｆは、電動リール１００と情報通信するために情報通信部６６に内部配線により接続されている。
【００３５】
コネクタ部２１の外径は、装着筒部１９の内周面に嵌合する大きさである。コネクタ部２１の外周面には、装着筒部１９の位置決め突起１９ｂに係合する位置決め凹部２１ａが形成されている。コネクタ部２１の外周面には、固定筒部２３が回転自在かつ抜け止めされた状態で所定長さ軸方向移動自在に装着されている。固定筒部２３の内周面には、コネクタ部１８の雄ねじ部１９ａが螺合する雌ねじ部（図示せず）が形成されている。この雌ねじ部を雄ねじ部１９ａに螺合させることにより、電源６７と電動リール１００が電気的に接続されるとともに電動リール１００と外部モニタ６０とが電気的に接続される。また、電気的な接続と同時に外部モニタ６０が電動リール１００に装着固定される。
【００３６】
表示部６４は、たとえば、３型程度の大きさの液晶表示装置を有している。液晶表示装置はＴＦＴ型のカラー又はモノクロのドットマトリックス方式のものである。
【００３７】
スイッチ操作部６５は、各種の設定項目を上下左右にカーソルを移動させるカーソルキーや、表示部６４の表示をオン、オフする電源ボタンや、各種の設定を設定するため決定ボタンが表示部６４の下方で左右に並べて配置されている。
【００３８】
電源６７は、モニタケース６２の背面に着脱可能に固定されている。電源６７は、たとえば、容量が２−３Ａｈ程度の小型のリチウムイオン充電池であり、外部モニタ６０と電動リール１００の電源として使用可能である。電源６７からモニタケース６２を外すと、電源６７は、電動リール１００だけの電源として機能する。
【００３９】
＜魚群探知機の構成＞
魚群探知機９０は、海底や魚の位置を示すエコー画像の魚探データ（第２釣り情報の一例）や海底の数値データ（第２釣り情報の一例）を生成する魚探本体９１と、魚探本体９１に接続され、たとえば、周波数が異なる２種の超音波（たとえば、５０ｋＨｚと２００ｋＨｚ）を送受信する送受波器９２とを有している。魚探本体９１は、送受波器９２で受信した反射波からエコー画像を表示するするとともに、エコー画像や数値データを無線で送信する機能を有している。
【００４０】
このような構成の外部モニタ６０では、電源６７に設けられた装着部６１を電動リール１００のコネクタ部１８に装着することにより、端子ピン１８ｃ、１８ｄ、１８ｅ、１８ｆ及び端子孔２２ｃ，２２ｄ，２２ｅ，２２ｆを介して情報通信部４４と情報通信部６６とが電気的に接続され、電動リール１００と外部モニタ６０とが電気的に接続され釣り情報のやり取りができる。それと同時に、電源６７からの電力が電動リール１００に供給される。もちろん電源６７の電力は外部モニタ６０でも使用される。
【００４１】
魚群探知機９０からエコー画像や数値データの魚探データが出力されると、情報通信部６６で受信される。また、電動リール１００からの水深データが出力されると情報通信部６６で受信される。２つのデータを受信すると、魚探データのエコー画像及び数値データと仕掛けの水深データとが、図７に示すように外部モニタ６０の表示部６４の魚探画面に表示される。魚探画面では、水深を数値で示すスケールＳＣが画面の右側に描かれ、その右側に仕掛けの位置を示す仕掛け図形Ｄ１が表示される。この仕掛け図形Ｄ１は、電動リール１００で生成され外部モニタ６０に出力された仕掛けの位置を示す水深データに基づいて表示される。また、海底の水深を示すエコー画像Ｄ２及び魚の棚位置を示すエコー画像Ｄ３がそれぞれの水深に応じた位置に表示される。さらに、画面の左下隅には、魚群探知機９０から出力された海底の位置を示す数値データＤ２ｎが表示され、左上には、電動リール１００から出力された水深データの数値データＤ１ｎが表示される。なお、数値データの表示位置は第１実施形態に限定されず、どのような位置でもよい。たとえば、仕掛け図形Ｄ１やエコー画像Ｄ２，Ｄ３の近くに表示してもよい。
【００４２】
このような構成の外部モニタ６０では、表示部６４が設けられたモニタケース６２を装着部６１により釣り人の近くに常に配置される釣り用リールに装着可能に構成したので、釣り人に近い位置で２種の釣り情報を表示できる。このため、外部モニタ６０において、表示部６４の小型化を図っても釣り情報を視認しやすくなる。
【００４３】
また、釣り竿に装着された状態で釣り人に最も近い釣り用リールに装着部６１が装着可能であるので、モニタケース６２に設けられた表示部６４を小型化しても釣り情報をさらに認識しやすくなる。
【００４４】
＜第２実施形態＞
前記第１実施形態では、釣り用リールに装着される外部モニタ６０（釣り情報表示装置の一例）を開示したが、第２実施形態では、図８に示すように、補助モニタ（釣り情報表示装置の一例）１６０が釣り竿Ｒに装着可能になっている。また、釣り用リールとして電動リールではなく水深表示機能を有さない両軸受リール２００が使用されている。さらに、魚群探知機１９０や両軸受リール２００から第１及び第２釣り情報を直接受け取るのではなく、外部モニタ１２０を介して受け取っている。
【００４５】
第２実施形態を採用した釣り情報表示システムは、図９に示すように、両軸受リール２００と、魚群探知機１９０と、両軸受リール２００及び魚群探知機１９０と情報をやり取りする外部モニタ１２０と、外部モニタ１２０と情報をやり取りする本発明の第２実施形態による補助モニタ１６０と、で構成される。
【００４６】
＜両軸受リールの構成＞
両軸受リール２００は、図８に示すように、釣竿Ｒに装着されるリール本体１０１と、リール本体１０１の側方に配置されたスプール回転用のハンドル１０２と、ハンドル１０２のリール本体１０１側に配置されたドラグ調整用のスタードラグ１０３とを主に備えている。
【００４７】
リール本体１０１は、左右１対の側板１０７ａ、１０７ｂとそれらを連結する複数の連結部材１０８とからなるフレーム１０７と、フレーム１０７の左右を覆う左右の側カバー１０９ａ、１０９ｂとを有している。ハンドル１０２側（図８の右側）の側カバー１０９ｂには、ハンドル１０２の回転軸が回転自在に支持されている。ハンドル１０２と逆側（図８の左側）の側カバー１０９ａの上部には、図８に示すように、外部モニタ１２０に仕掛けの水深情報を無線通信により出力可能な情報通信部１４４及び情報通信部１４４のオン、オフを行うスイッチ操作部１０６が露出するように取り付けられている。
【００４８】
リール本体１０１の内部には、ハンドル１０２に連結されたスプール１１０が回転自在に支持されている。また、リール本体１０１のハンドル１０２側の側面には、クラッチレバー１１１が配置されている。クラッチレバー１１１は、側カバー１０９ｂのスプール１１０の回転軸の後上方に設けられ、ハンドル１０２とスプール１１０との駆動伝達をオン、オフするレバー部材である。
【００４９】
リール本体１０１の側カバー１０９ａの内部には、図９に示すように、スプール１１０の回転に応じてパルス信号を発生するスプールセンサ１４１と、リール制御部１３０が配置されている。また、側カバー１０９ａの内部には、これらの電気機器を動作させる電源として、たとえばボタン型の乾電池が交換可能に収納されている。
【００５０】
リール制御部１３０は、側カバー１０９ａの内部に配置されたＣＰＵ、ＲＡＭ、ＲＯＭ、Ｉ／Ｏインターフェイス等を含むマイクロコンピュータを含んでいる。リール制御部１３０は、制御プログラムに仕掛けの海中での位置を示す水深データ（第１釣り情報の一例）を算出する。リール制御部１３０には、スイッチ操作部１０６のスイッチと、スプール１１０の回転方向及び回転数（回転位置データ）を検出するためのスプールセンサ１４１及びスプールカウンタ１４２と、が接続されている。また、リール制御部１３０には、記憶部１４３と、情報通信部１４４と、他の入出力部とが接続されている。
【００５１】
スプールセンサ１４１は、前後に並べて配置された２つのリードスイッチから構成されている。リードスイッチは、スプール１１０に連動して回転する磁石ホイールに装着された２個の磁石を検出する。この検出パルスをスプールカウンタ４２で計数することでリールの回転数を検出できる。また、いずれのリードスイッチが先に検出パルスを発したかによりスプール１０の回転方向を検出できる。
【００５２】
スプールカウンタ１４２は、スプールセンサ１４１のオンオフ回数を計数するカウンタであり、この計数値によりスプール回転数に関する回転位置データやスプール回転速度が得られる。スプールカウンタ１４２は、スプール１１０が正転（糸繰り出し方向の回転）すると計数値が減少し、逆転すると増加する。
【００５３】
記憶部１４３は、たとえばＥＥＰＲＯＭ等の不揮発メモリからなり、糸長算出時に使用する各種のデータ等が記憶されている。
【００５４】
情報通信部１４４は、両軸受リール２００の外部に設けられた外部モニタ１２０の後述する情報通信部１２６（図９参照）と各種の情報を送受信可能である。情報通信部１４４は、外部モニタ１２０の情報通信部１２６と、たとえばＵＷＢ（超広帯域無線IEEE802.15.3a）等の無線方式を用いた船内で利用可能な比較的狭い範囲で送受信を行う低出力のものである。また、情報通信部１４４は、外部モニタ１２０の情報通信部１２６から送信された指令情報を受信可能であり、この指令情報をもとにリール制御部１３０を介して各種の情報を送信することができる。情報通信部１４４は、図１に示すように、第１側カバー１０９ａの外部に露出したアンテナを含むユニット全体が合成樹脂製のケース部材によって覆われている。
【００５５】
＜外部モニタの構成＞
外部モニタ１２０は、おおむね第１実施形態の外部モニタ６０と同様な構成である。しかし、釣り用リールや釣り竿に装着していない点、釣り用リールと有線ではなく無線で通信できる点、及び電源がケース部材に着脱自在に装着されていない点で第１実施形態の外部モニタ６０と構成が異なる。
【００５６】
外部モニタ１２０は、魚群探知機１９０から得られる漁場の海底の水深や魚群の位置を示す棚位置等のエコー画像を表示するとともに、両軸受リール２００から得られる仕掛けの水深データを魚群探知機１９０からのエコー画像に重畳して図形表示するためのものである。魚群探知機１９０は、海底の数値データも出力可能であり、海底の数値データや仕掛けの水深の数値データも外部モニタ１２０に表示される。
【００５７】
外部モニタ１２０は、図８に示すように、船縁に装着可能な装着部１２１と、略直方体形状のモニタケース１２２と、外部に露出可能にモニタケース１２２に設けられた釣り情報を図形表示可能な表示部１２４と、表示部１２４の右側に配置された複数の操作ボタンからなるスイッチ操作部１２５とを有している。
【００５８】
モニタケース１２２は、内部に収納空間を有するとともに表示部１２４が露出する開口を有する合成樹脂製の略直方体形状のケースである。モニタケース１２２の内部には、図９に示すように、各種の制御を行うモニタ制御部１２３が配置されている。また、モニタケース１２２の内部には、これらの電気機器を動作させる電源として、たとえば、充電可能な単三型のＮｉ−ＭＨ電池が１０本程度内蔵されている。モニタ制御部１２３は、モニタケース１２２内に配置されたＣＰＵ、ＲＡＭ、ＲＯＭ、Ｉ／Ｏインターフェイス等を含むマイクロコンピュータを含んでいる。モニタ制御部１２３は、制御プログラムに従って、両軸受リール２００及び魚群探知機１９０からの情報を表示部１２４に表示させる表示制御を実行する。また、モニタ制御部１２３には、スイッチ操作部１２５の各種のスイッチと、表示部１２４と、情報通信部１２６と、が接続されている。
【００５９】
情報通信部１２６は、前述したように、両軸受リール２００の情報通信部１４４と、たとえば、ＵＷＢ無線方式により通信可能であり、両軸受リール２００の情報通信部１４４から仕掛けの水深データ等の情報を受信する。また、情報通信部１２６は、図９に示すように、たとえばＵＷＢ無線方式により、魚群探知機１９０と通信可能であり、海底の水深や魚群の位置等のエコー画像の魚探データ等を受信する。さらに、情報通信部１２６は、補助モニタ１６０の後述する情報通信部１６６と、たとえばＵＷＢ無線方式により通信可能であり、両軸受リール２００及び魚群探知機１９０で得られた水深データ及び魚探データを補助モニタ１６０に送信可能である。情報通信部１２６は、情報通信部１４４側と魚群探知機１９０側と、補助モニタ１６０の情報通信部１６６とで通信チャンネルが異なるように設定されており、これにより情報通信部１４４と魚群探知機１９０と補助モニタ１６０と通信の衝突を防止している。
【００６０】
表示部１２４は、たとえば、５型程度の大きさの液晶表示装置を有している。液晶表示装置はＴＦＴ型のモノクロのドットマトリックス方式のものである。スイッチ操作部１２５は、各種の設定項目を上下左右にカーソルを移動させるカーソルキーや、表示部１２４の表示をオン、オフする電源ボタンや、各種の設定を設定するため決定ボタンや、画面切り換えボタンや、さそい開始ボタン等の複数のボタンが上下に並べて配置されている。
【００６１】
＜補助モニタの構成＞
補助モニタ１６０は、釣り用リールではなく、釣り竿Ｒに装着されるものである。また、図９に示すように、補助モニタ１６０は、両軸受リール２００から外部モニタ１２０を介して仕掛けの水深データ（第１釣り情報の一例）を得ることができるとともに、外部モニタ１２０を介して魚群探知機１９０で生成された魚探データ（第２釣り情報の一例）を得ることができる。
【００６２】
補助モニタ１６０は、魚群探知機１９０から得られる漁場の海底の水深や魚群の位置を示す棚位置等のエコー画像を表示するとともに、両軸受リール２００から得られる仕掛けの水深データを魚群探知機１９０からのエコー画像に重畳して図形表示するためのものである。したがって、外部モニタ１２０との表示の主な相異は、図形表示の際に数値情報を表示しない点である。なお、数値表示については、後述するスイッチ操作部１６５の切換ボタンにより表示画面をと切り換えることにより行える。
【００６３】
補助モニタ１６０は、図８及び図９に示すように、釣り竿Ｒに装着可能な装着部１６１と、略直方体形状のモニタケース（ケース部材の一例）１６２と、外部に露出可能にモニタケース１６２に設けられた釣り情報を図形表示可能な表示部１６４と、電源のオンオフボタン及び表示画面の切換ボタンを含むスイッチ操作部１６５と、を有している。また、補助モニタ１６０は、モニタケース１６２の内部に設けられ、外部モニタ１２０と情報を入出力する情報通信部（第１及び第２情報入力部の一例）１６６と、を有している。
【００６４】
モニタケース１６２は、内部に収納空間を有するとともに表示部１６４が露出する開口を有する合成樹脂製の略直方体形状のケースである。モニタケース１６２の内部には、図９に示すように、各種の制御を行うモニタ制御部１６３が配置されている。また、モニタケース１６２の内部には、これらの電気機器を動作させる電源として、たとえば、充電可能な単三型のＮｉ−ＭＨ電池が４本程度内蔵されている。モニタ制御部１６３は、モニタケース１６２内に配置されたＣＰＵ、ＲＡＭ、ＲＯＭ、Ｉ／Ｏインターフェイス等を含むマイクロコンピュータを含んでいる。モニタ制御部１６３は、制御プログラムに従って、両軸受リール２００及び魚群探知機１９０で得られた情報を表示部６４に表示させる表示制御を実行する。また、モニタ制御部１６３には、表示部１６４と、スイッチ操作部１６５と、情報通信部１６６と、が接続されている。
【００６５】
情報通信部１６６は、前述したように、外部モニタ１２０の情報通信部１２６とＵＷＢ無線方式により通信可能である。情報通信部１６６は、外部モニタ１２０から海底の水深や魚群の位置等の情報を受信するとともに、仕掛けの水深データ等の情報を受信する。
【００６６】
装着部１６１は、図８に示すように、棒状の部材であり、釣り竿Ｒにクランプして取り付け可能である。したがって、先細りの釣り竿であっても、長手方向の所定範囲の位置に固定可能である。装着部１６１はモニタケース１６２の背面に固定されている。装着部１６１は、背面と交差する軸回り及び背面と平行な軸回りに回動自在にモニタケース１６２を連結可能である。これにより、装着部１６１の姿勢が変化しても、モニタケース１６２の表示面の姿勢を見やすい姿勢に設定できる。
【００６７】
表示部１６４は、たとえば、２．５型程度の大きさの液晶表示装置を有している。液晶表示装置はＴＦＴ型のカラー又はモノクロのドットマトリックス方式のものである。
【００６８】
＜魚群探知機の構成＞
魚群探知機１９０は、海底や魚の位置を示すエコー画像の魚探データ（第２釣り情報の一例）や海底の数値データ（第２釣り情報の一例）を生成する魚探本体１９１と、魚探本体１９１に接続されたデータ発信器１９３と、データ発信器１９３に接続され、たとえば、周波数が異なる２種の超音波（たとえば、５０ｋＨｚと２００ｋＨｚ）を送受信する送受波器１９２とを有している。魚探本体１９１は、送受波器９２で受信した反射波からエコー画像や装置データを生成して表示する。データ発信器１９３は、送受波器１９３で受信した反射波からエコー画像や数値データを生成して無線で送信する機能を有している。この魚群探知機１９０では、既設の魚群探知機の魚探本体１９１と送受波器１９２との間にデータ発信器１９３を加えることにより魚探データを送信できるようにしている。データ発信器１９３は、たとえば、ＵＷＢ無線方式により通信可能である。
【００６９】
このような構成の補助モニタ１６０では、装着部１６１を釣り竿Ｒに装着するとともに、外部モニタ１２０を船縁に装着する。そして、各モニタ１２０，１６０の電源を投入する。
【００７０】
魚群探知機１９０からエコー画像や数値データの魚探データが出力されると、情報通信部１２６で受信される。また、両軸受リール２００からの水深データが出力されると情報通信部１２６で受信される。２つのデータを受信すると、そのデータを補助モニタ１６０の情報通信部１６６に送信する。外部モニタ１２０では、魚探データのエコー画像及び数値データと仕掛けの水深データとが、図７に示すように外部モニタ１２０の表示部１２４の魚探画面に前述したように表示される。
【００７１】
情報通信部１２６から魚探データと水深データとを受け取ると、補助モニタ１６０では、魚探データのエコー画像と仕掛けの水深データとが、図１０に示すように補助モニタ１６０の表示部１６４の魚探画面に表示される。魚探画面では、水深を数値で示すスケールＳＣが画面の右側に描かれ、その右側に仕掛けの位置を示す仕掛け図形Ｄ１が表示される。この仕掛け図形Ｄ１は、両軸受リール２００で生成され外部モニタ１２０を介して得られた仕掛けの位置を示す水深データに基づいて表示される。また、海底の水深を示すエコー画像Ｄ２及び魚の棚位置を示すエコー画像Ｄ３がそれぞれの水深に応じた位置に表示される。また、スイッチ操作部１６５の切換ボタンを操作すると、図１０に示した図形表示の画面から図１１に示す数値表示の魚探画面に切り換わる。画面の切換は、切換ボタンを押す都度切り換わる。数値表示の魚探画面では、仕掛けの水深、棚位置及び底の水深が数値表示される。
【００７２】
このような構成の補助モニタ１６０では、表示部１６４が設けられたモニタケース１６２を装着部１６１により釣り人の近くに常に配置される釣り竿に装着可能に構成したので、釣り人に近い位置で２種の釣り情報を表示できる。このため、補助モニタ１６０において、表示部１６４の小型化を図っても釣り情報を視認しやすくなる。
【００７３】
しかも、釣り人からの距離が変動しにくい釣り竿Ｒに補助モニタ１６０が装着可能であるので、表示部１６４を小型化しても釣り情報をより認識しやすくなる。また、使用するリールに合わせて釣り人からの距離を変更することもできる。
【００７４】
また、外部モニタ１２０に数値情報を表示するように構成したので、表示器を有さない両軸受リール２００であっても、仕掛けの飛距離や水深の数値を釣り人が認識できる。
【００７５】
＜他の実施形態＞
（ａ）前記実施形態では、無線通信の規格として特定小電力規格やＵＷＢを例示したが、本発明の無線通信の規格は、これに限定されない。たとえば、BlueTooth（IEEE802.15.1）やZigBee（IEEE802.15.4）などの規格から適宜に選択できる。
【００７６】
（ｂ）前記第１実施形態では、電動リール１００のコネクタ部（電力入力部）１８に釣り情報表示装置としての外部モニタ６０を装着したが、釣り用リールへの装着位置は電力入力部に限定されない。たとえば、釣り用リールの竿取付脚などに装着できるように構成してもよい。
【００７７】
（ｃ）前記第２実施形態では、補助モニタ１６０は、外部モニタ１２０からデータを受け取るように構成したが、釣り用リールや魚群探知機からデータを直接受け取るように構成してもよい。この場合、釣り用リールと魚群探知機から外部モニタ１２０と補助モニタとにデータをパラレル送信すればよい。また、補助モニタから外部モニタにデータを送信するようにしてもよい。
【００７８】
（ｄ）前記第２実施形態では、補助モニタ１６０の魚探画面で図形表示の画面と数値表示の画面とを切換ボタンで切り換えるように構成したが、スイッチ操作部を設けずに図形表示の画面だけを表示するようにしてもよい。
【００７９】
また、切換ボタンを設けずに、棚位置や船縁に仕掛けが配置されると自動的に図形表示から数値表示に画面が切り換わるようにしてもよい。
【図面の簡単な説明】
【００８０】
【図１】本発明の第１実施形態による外部モニタ及び電動リールの斜視図。
【図２】前記電動リール及び外部モニタの平面図。
【図３】前記電動リール、外部モニタ及び魚群探知機を含む釣り情報表示システムの制御ブロック図。
【図４】電動リールの側面図。
【図５】装着部を外したときの図３に相当する図。
【図６】外部モニタの正面図。
【図７】魚探画面の表示の一例を示す図。
【図８】本発明の第２実施形態による補助モニタ、外部モニタ及び電動リールの斜視図。
【図９】第２実施形態の図３に相当する図。
【図１０】第２実施形態の図形表示画面を示す図７に相当する図。
【図１１】第２実施形態の数値表示画面を示す図７に相当する図。
【符号の説明】
【００８１】
１８  コネクタ部（電力入力部の一例）
１８ｃ、１８ｄ、１８ｅ、１８ｆ  端子ピン（情報出力部の一例）
６１，１６１  装着部
６２，１６２  モニタケース（ケース部材の一例）
６４，１６４  表示部
６６，１６６  情報通信部（第１及び第２情報入力部の一例）
６７  電源
９０，１９０  魚群探知機
９１，１９１  送受波器
１００  電動リール（釣り用リールの一例）
２００  両軸受リール（釣り用リールの一例）
Ｒ  釣り竿
【図１】
2008182967.tif 000003
【図２】
2008182967.tif 000004
【図３】
2008182967.tif 000005
【図４】
2008182967.tif 000006
【図５】
2008182967.tif 000007
【図６】
2008182967.tif 000008
【図７】
2008182967.tif 000009
【図８】
2008182967.tif 000010
【図９】
2008182967.tif 000011
【図１０】
2008182967.tif 000012
【図１１】
2008182967.tif 000013